(57)【要約】【課題】記録紙にコート紙を用いて、光沢のある画像を出力する場合でも、細線や小ポイント文字のトナー潰れを防止し、画像品位を得ることが可能となる画像形成装置の定着装置の提供。【解決手段】加熱源によって加熱される回転加熱部材と、該回転加熱部材に対して圧接して配置される加圧部材を備え、該未定着画像は熱を与えることによりワックス等の離型剤が染み出すトナーを用い、該回転加熱部材は少なくとも基層、弾性層、表層からなる３層以上の構成をとり、弾性層の硬度がＪＩＳ−Ａ硬度１°〜３０°、及び表層はフッ素樹脂であり、厚みが１〜３０μｍとなる画像形成装置の定着装置。【選択図】  なし【特許請求の範囲】
【請求項１】
画像情報をもとに画像を形成する画像形成装置における、記録材上の未定着画像を狭圧搬送して該記録材上の未定着画像の加熱定着を行う定着装置であって、加熱源によって加熱される回転加熱部材（定着ローラ）と、該回転加熱部材に対して圧接して配置される加圧部材（加圧ローラ）を備え、該未定着画像は熱を与えることによりワックス等の離型剤が染み出すトナーを用いて形成され、該回転加熱部材は少なくとも基層、弾性層及び表層からなる３層以上の構成を有し、弾性層の硬度がＪＩＳ−Ａ硬度１°〜３０°であり、及び表層がフッ素樹脂からなり、厚みが１〜３０μｍであることを特徴とした画像形成装置の定着装置。
【発明の詳細な説明】
【０００１】
【発明の属する技術分野】
本発明は、電子写真式の複写機、プリンタ及びファクシミリ等の画像形成装置に用いられる定着装置及び該定着装置を有する画像形成装置に関する。
【０００２】
【従来の技術】
従来、画像形成装置における定着装置としては、所定の温度に維持された加熱ローラ（定着ローラ）と、弾性層を有して該加熱ローラに圧接する加圧ローラとによって記録材を挟持し搬送しつつ加熱する熱ローラ方式が多用されている。特にカラー画像を形成する定着装置においては、モノクロ画像に比べてシアン、マゼンタ、イエロー等のカラートナーを使用することが一般的である。
【０００３】
カラートナーは混色性及びＯＨＰの透過性を高めるために、モノクロトナーに比べ低融点、且つ低溶融粘度のシャープメルト性の材料で形成した非磁性トナーを用いており、用紙上に形成したカラートナーが定着手段の定着ローラ表面に融着する、いわゆるオフセットを発生しやすい傾向にある。このため定着ローラは、多色重ねの画像に対する追従性と定着性そのものの向上のために適度の弾性を備えることが必要であり、ＨＴＶ（Ｈｉｇｈ  Ｔｅｍｐｅｒａｔｕｒｅ  Ｖｕｌｃａｎｉｚｉｎｇ）ゴム等の弾性層上に、ＬＴＶ（Ｌｏｗ  Ｔｅｍｐｅｒａｔｕｒｅ  Ｖｕｌｃａｎｉｚｉｎｇ）、ＲＴＶ（Ｒｏｏｍ  Ｔｅｍｐｅｒａｔｕｒｅ  Ｖｕｌｃａｎｉｚｉｎｇ）等の離型性が高いシリコーンゴムで表面層を形成している。このシリコーンゴムは、シリコーンオイルと同種の材料であるため両者の親和性が高く、オイルがゴム表面だけでなく内部にも浸透して、高い離型性をもたらし、オフセット防止効果を発揮する。
【０００４】
しかしながら、従来の画像形成装置のカラートナーの定着には以下のような問題があった。即ち、定着手段の定着ローラには直接オイルを塗布するが、定着ローラに圧接した下側の加圧ローラには、定着ローラからニップ（定着ニップ）を介して間接的にオイルが供給されるようにしているため、連続プリント時に加圧ローラにオイルを紙間でしか塗布できない。このため、加圧ローラのオイル塗布が途絶えがちになりやすく、加圧ローラのオフセット防止が不利なために、カラーＤＴＰのための両面画像への対応が非常に困難であった。
【０００５】
加圧ローラのオフセットを防止するためには、加圧ローラにもオイルを直接塗布すればよいが、そのための塗布機構を必要とすることから、装置が大型化及び複雑化するという問題がある。定着ローラに塗布するオイル量を多めにすることも考えられるが、用紙のオイル染みが発生しやすく、画像の品質や定着の信頼性等が低下する。又、定着ローラのオイルによる膨潤でローラ径の変化やゴムの剥れが生じやすくなり、これを防止するためにはオイルバリヤーの働きを持たせた中間層を必要とするなど、定着ローラの構成が複雑化し、コストアップする。通紙中に加圧ローラ表面にオイル付着量を確保できるように、加圧ローラへのクリーニングブレードの侵入量を小さくする等により、クリーニングブレードの当接圧をゆるく設定すると、今度はオイルの擦り抜けが起こりやすくなり、同様に、用紙へのオイル染みが発生する。又、表層のシリコーンゴム層に浸透しているシリコーンオイルが枯れたり、紙粉や異物等によってキズついてしまうと、本来の離型性能が失われトナーのオフセットや用紙の巻きつき等の不具合が生じてしまう。
【０００６】
このような問題を解決するために特許文献１では、定着手段の定着ローラ等に離型剤オイルを塗布することなく、用紙に転写したカラートナーを良好に定着することを可能としている。
【０００７】
即ち、離型性を有するワックスを内包させたタイプのトナーを用い、定着ローラは、剛性を有する基材上に弾性層を設け、その上にワックスを内包したトナーとの離型性が良いフッ素樹脂、例えば、ＦＥＰ（フッ化エチレン共重合樹脂）、ＰＦＡ（テトラフルオロエチレン・パーフルオロアルキルビニルエーテル共重合樹脂）、ＰＴＦＥ（ポリテトラフルオロエチレン）を表面に設けたローラ構成とすればよく、加圧ローラの弾性層の厚みや硬度を選択することによって加圧ローラを定着ローラに食い込ませることによって、従来のようにシリコーンオイルを塗布しないでも、離型性や分離性能を維持しつつ良好な定着を可能としている。
【０００８】
【特許文献１】
特開平１０−１４８９８８号公報
【０００９】
【発明が解決しようとする課題】
しかしながら、上述した画像形成装置及び定着装置においても以下のような問題があった。即ち、ワックス内包トナーで用いられる定着ローラのフッ素樹脂表層は、オイルを塗布するタイプのゴム表層に比べて硬度が高く硬いため、記録紙上に多層に転写されているカラートナーに対して追従性が悪い。このことから、紙目が粗い紙等では繊維の奥にあるトナーと、繊維の表面付近にあるトナーとで加熱ムラが生じて微小な光沢ムラが発生しやすくなっていた。
【００１０】
又、定着ニップ内では溶融したトナーが加圧するが、フッ素樹脂表層のように硬い表層ではトナーが伸ばされて潰されてしまう。特にトナー部をより溶かし、画像に光沢を出す場合において起こりやすく、記録紙がコート紙の場合には溶融トナーが紙繊維内に浸透しないために溶けたトナーの潰れがより顕著に発生する。トナーの潰れが起こると、細線の太りやにじみが発生したり、小ポイント文字が潰れて視認性が悪化するといった不具合が生じる。これらの問題は画像の光沢性、細線や小ポイント文字、コート紙等の使用を前提とした高画質機において、ワックストナーによって定着オイルを用いないオイルレス定着を行うための大きな課題となっていた。
【００１１】
特開２００１−３０５８１６公報では、４色のカラートナーの他に透明トナーを用いて上記のトナー潰れによる画像の粒状性悪化と光沢度（グロス）の両立を可能としているが、このように透明トナーを用いると専用の現像器やドラム等の画像形成部を必要とし、コストが大幅にアップしたり装置の大型化につながってしまう。その他記録紙上のトナーの載り量自体が増えるため、転写部や定着部での負荷が大きくなり、根本的な解決にはなっていなかった。
従って、本発明の目的は、ワックス内包トナーと定着ローラにフッ素樹脂表層をもち、オイルレス定着を行う画像形成装置において、記録紙にコート紙を用いて、光沢のある画像を出力する場合でも、細線や小ポイント文字のトナー潰れを防止し、画像品位を得ることが可能となる画像形成装置の定着装置を提供することである。
【００１２】
【課題を解決するための手段】
上記目的は以下の本発明によって達成される。即ち、本発明は、画像情報をもとに画像を形成する画像形成装置における、記録材上の未定着画像を狭圧搬送して該記録材上の未定着画像の加熱定着を行う定着装置であって、加熱源によって加熱される回転加熱部材と、該回転加熱部材に対して圧接して配置される加圧部材を備え、該未定着画像は熱を与えることによりワックス等の離型剤が染み出すトナーを用いて形成され、該回転加熱部材は少なくとも基層、弾性層及び表層からなる３層以上の構成を有し、弾性層の硬度がＪＩＳ−Ａ硬度１°〜３０°であり、及び表層がフッ素樹脂からなり、厚みが１〜３０μｍであることを特徴とした画像形成装置の定着装置（１）を提供する。
【００１３】
又、本発明は、前記表面層の表面の微小硬度が６０°以下である前記（１）の定着装置（２）、前記記録材が、上質紙又はコート紙である前記（１）の定着装置（３）、前記表面層の表面の微小硬度が６０°以下である前記（３）の定着装置（４）、前記記録材が、上質紙又はコート紙である前記（４）の定着装置（５）、前記回転加熱部材の表層にチューブ成型されたフッ素樹脂を用いている前記（１）〜（５）の定着装置（６）、前記回転加熱部材は弾性層上にフッ素樹脂をコート成型した表層を用いている前記（１）〜（６）の定着装置（７）、前記弾性層上のフッ素樹脂が、プライマー等を介して弾性体上に直接フッ素樹脂をコート成型されている前記（７）の定着装置（８）、前記回転加熱部材と加圧部材の平均圧力が、３ｋｇｆ／ｃｍ２以下に設定されている前記（１）〜（６）の定着装置（９）、及び前記（１）〜（９）の何れかの定着装置を有することを特徴とする画像形成装置（１０）を提供する。
【００１４】
【発明の実施の形態】
以下に図面に基づいて本発明の好ましい実施の形態を更に詳細に説明するが、本発明はこれらによって何ら限定されるものではない。
＜画像形成装置の基本構成＞
図１に、本発明の定着装置を有するカラー画像形成装置の１実施例の全体構成を示す。本実施形態では、中間転写体を用いたカラー画像形成装置の例を示している。
【００１５】
本実施形態において、カラー画像形成装置は、像担持体として矢印方向に所定の周速度で回転駆動される感光ドラム１０１を有し、この感光ドラム１０１の周囲に１次帯電器１０２等の画像形成手段が配置されている。感光ドラム１０１は、１次帯電器１０２により所定の極性の所定の表面電位に一様に帯電され、露光手段のレーザスキャナ（図示せず）からの画像の露光１０３により、感光ドラム１０１の表面上に１色目の、例えば、マゼンタ成分色の静電潜像が形成される。この潜像はマゼンタ現像器４１により現像され、マゼンタトナー像として可視化される。
【００１６】
現像方式は、現像剤として非磁性トナーを用いた１成分非接触方式であり、現像器４１の現像スリーブと感光ドラム１０１との間に適当な現像バイアスを印加することにより、現像スリーブ上の非磁性トナーが感光ドラム１０１に飛翔し、潜像に付着して現像する。
【００１７】
中間転写体として中間転写ローラ２０が、感光ドラム１０１に適度な圧力を持って当接配置されている。中間転写ローラ２０は、シリンダ状の芯金上に中抵抗の電気抵抗（体積抵抗率が１０５〜１０１１Ωｃｍ程度）を有する非発泡体或は発泡体の弾性層を設けてなっている。弾性層表面のトナーに対する離型性を向上させるために、弾性層の表面にトナーとの離型性が良好なＰＴＦＥ等のフッ素樹脂若しくはシリコーンゴムの離型層を、チューブ若しくはコートにより形成してある。
【００１８】
感光ドラム１０１上のトナー像は、この中間転写ローラ２０と感光ドラム１０１との間（１次転写ニップＮ）に、転写バイアス電源６１により適当な転写バイアスを印加することにより、中間転写ローラ２０の表面上に転写される（１次転写）。
【００１９】
１次転写が終了した感光ドラム１０１は、クリーニング装置１４により表面に残留した１次転写残りのトナーが除去される。その後、２色目のシアントナー像（現像器４２により現像）、３色目のイエロートナー像（現像器４３）、４色目のブラックトナー像（現像器４４）が同様な過程を経て感光ドラム１０１上に形成され、中間転写ローラ２０上に重ね合わせて１次転写され、これにより中間転写ローラ２０上に４色のトナー像の重ね合わせ像が形成される。中間転写ローラ２０の感光ドラム１０１とは反対側の位置に、２次転写ローラ２５が離接自在に設置されている。２次転写ローラ２５は、芯金上に中抵抗の弾性層を設けてなっている。
【００２０】
この２次転写ローラ２５と中間転写ローラ２０とのニップ間（２次転写ニップｎ）に、用紙カセット１０９からの用紙１１が通紙される。バイアス電源を電源２９から電源２８に切換えて、中間転写ローラ２０と２次転写ローラ２５との間に適当な転写バイアスを印加することにより、中間転写上の４色のトナー像が一括して用紙１１上に転写される（２次転写）。用紙１１は、給紙カセット１０９から給紙ローラ１１０により搬送され、レジストローラ１１１及びその前後の給紙ガイド１１２により、上記２次転写ニップに供給される。
【００２１】
２次転写が終了した中間転写ローラ２０の表面に残留した２次転写残りのトナーは、中間転写ローラ２０と感光ドラム１０１との間にバイアス電源６２で１次転写時と逆極性のバイアスを印加することにより、感光ドラム１０１上へ戻され、最終的にクリーニング装置１４により回収される。
【００２２】
４色のトナー像が転写された用紙１１はガイド１１３を経て定着装置１０に搬送され、定着ローラ１と加圧ローラ２との間の定着ニップを通過して、トナーの混色及び紙の繊維への定着がなされる。片面画像形成の場合は、このまま用紙１１を排紙トレイへ排出する。両面画像形成の場合は、定着装置１０を出た用紙１１は、一旦別の紙パス方向Ａへ送った後、スイッチバックをされて両面ユニット部Ｂへと運ばれる。そして、用紙１１の１面目と反対側の２面目の画像形成時に、用紙１１が上記の２次転写ニップｎに到達し、用紙１１の反対側の面に２次転写されつつ通過し、定着装置１０を経て２面目の定着が終了した後、排紙トレイに排出される。
【００２３】
本実施形態において、現像剤の非磁性トナーとしてシャープメルトトナーを使用した。更にいえば、このシャープメルトトナーは重合法で製造した重合トナーで、溶融粘度と分子量がトナーの母体樹脂よりも小さいワックス、パラフィン等の離型剤を内包している。このような重合法によるシャープメルトトナーを使用することにより、定着時に高いトナーの混色性を達成するとともに、トナーからの内包されたワックスの熱による滲み出しにより高い離型性が得られ、定着のオイルレス化を実現した。
【００２４】
重合トナーはその製法上、形状が球形となる。重合トナーは、コア、その上の樹脂層及びその上の表層から構成されており、コアにはエステル系ワックスが内蔵され、樹脂層はスチレン−ブチルアクリレート樹脂からなり、表層はスチレン−ポリエステル樹脂からなっている。この重合トナーの比重は約１．０５である。重合トナーが３層構造となっている理由は、コアにワックスを内包することにより、定着工程でのオフセット防止効果を得、樹脂層の表層を設けることにより、トナーの帯電効率の向上を図るためである。この重合トナーを使用するに際しては、摩擦帯電電荷の安定化のためにオイル処理したシリカを外添する。なお、本実施形態では重合法によるワックスを内包したトナーを用いたが、この製造方法に限定する必要はなく、熱を与えることによって離型剤が染み出すようなトナーであれば、何れのトナーでもよい。
【００２５】
＜定着装置の基本構成＞
図２に、本実施形態における定着装置を示す。定着装置１０は、上下に圧接した定着ローラ１と加圧ローラ２とを備えてなっており、定着ローラ１は基層となる鉄、アルミニウム等の芯金１ａ上に、耐熱シリコーンゴム層からなる弾性層１ｂと、ＦＲＰ、ＰＦＡ、ＰＴＦＥ等のフッ素樹脂からなる離型層１ｃとを設けた３層構造に構成されている。
【００２６】
弾性層１ｂは厚み２〜３ｍｍ程度を用いるのがよい。弾性層は厚いほどゴムを変形させてニップ幅を取ることができるが、ゴム厚が厚くなると熱源が芯金内部にある構成では、表面と芯金界面との温度差が大きくなり、ゴムの劣化が起こりやすくなる。
【００２７】
表層のＰＦＡチューブの膜厚は１０μｍ未満では均一なチューブの成型や被覆が難しくなるため、１０μｍ以上が好ましく、５０μｍ以上の膜厚では下層の弾性層のゴムに低硬度品を用いてもチューブ自体が硬く、表面の微小硬度が硬くなる弊害が起こるほか、表面微小硬度を下げるために低硬度ゴムを使用するとゴムの液状化や、ゴムの断絶といった耐久性に問題が生じる。このため、表層はＰＦＡチューブは３０μｍ以下にすることが好ましい。
【００２８】
表層がフッ素樹脂コーティングの場合には、チューブに比べて表面の微小硬度が硬くなりにくい。このため弾性層の硬度を高めに設定し、ゴム硬度を上げて耐久性を上げたとしてもトナー潰れが起き難い傾向にある。又、フッ素樹脂コーティングの厚みは、薄くコートする場合はコートが割れる等の耐久性に問題が生じ、厚くコートする場合には表層膜厚の均一性に問題が生じるため、実際には１μｍ〜３０μｍ程度でコートすることが望ましい。
【００２９】
トナー潰れは紙上の転写されたトナーが定着器で加熱加圧されることによって、溶融されたトナーが広がり潰れる現象である。この現象は、紙表面に樹脂や塗料をコートしたコート紙では溶融したトナーが紙の繊維内に浸透することが不可能であるため、より顕著に起こる。更にコート紙で画像に光沢感を得るために、定着温度、加熱時間、圧力等の条件を高め、トナーを十分溶融して表面を平滑化するような定着条件で使用される場合には特に問題となる。又、トナー内部にワックスを内包し、定着ローラの表面にＰＦＡ等のフッ素樹脂を用いた定着装置の場合には、表層が硬くなりやすいのでトナー潰れが起き易い。
【００３０】
このような文字、細線等の潰れを防ぐために、定着ローラ表面の硬度、特に表面の微小硬度を抑えることが有効的であることが判った。本発明らの検討では、高分子計器（株）製のマイクロ硬度計（ＭＤ−１）によってＪＩＳ−Ａタイプ表面微小硬度を測定し、定着前の細線の幅と定着後の細線の幅を比較することでトナーの潰れ具合を測定した。図３はＡ２コート紙上の細線において、定着前の状態から定着後で何倍に線幅が増えたかをトナー潰れ率として測定した関係であり、約６０°以下に抑えればトナー潰れが良化すると判断した。更に好ましくは５５°以下で用いることが望ましい。
【００３１】
定着ローラ１の芯金は中空の筒体に形成されており、その中空内にはハロゲンヒータ３が内蔵され、ハロゲンヒータ３が定着に必要な熱を供給する。ローラの温度制御は、定着ローラ１にサーミスタ（温度検知素子）４を接触配置し、温度変化にともなうサーミスタ４の抵抗値変化から定着ローラ１の温度を検知し、制御装置（図示せず）によりハロゲンヒータ３のＯＮ／ＯＦＦを制御し、定着ローラ１の温度を所定に維持する。
【００３２】
加圧ローラ２は、芯金２ａ上にシリコーンゴムの弾性層２ｂを設け、その上にフッ素樹脂の離型層２ｃを設けてなっている。この加圧ローラ２は図示しない駆動機構と連動されている定着ローラ１との間にニップを形成しつつ回転することにより、従動回転される。
【００３３】
加圧ローラ２のシリコーンゴム弾性層によってカラー画像における単色から４色重ねにわたるトナーの厚み変動（数〜数十μｍ）に追従でき、又、定着ローラ１に加圧ローラ２との間にニップを確保できるようにするために、ＬＴＶ若しくはＨＴＶのシリコーンゴムを用いて芯金１ａ上に形成している。弾性層は弾性が小さいと、トナー像の凹部の未定着やトナーの潰れによる画像の解像度の低下をもたらすので、適当な大きさの弾性を要する。
【００３４】
【実施例】
次に実施例及び比較例を挙げて本発明を更に具体的に説明する。
（実施例１）
本実施例では、定着ローラ１に直径が４０ｍｍ、厚み３ｍｍのアルミニウム製芯金上に、弾性層としてＪＩＳ−Ａ硬度で１０°のシリコーンゴム層を２．５ｍｍの厚みを設け、離型層としてＰＦＡ（パーフロロアルコキシ樹脂）の厚さが２０μｍのチューブ被覆を成型した。以上のような構成で、必要なニップ幅を得るために定着ローラ１への加圧ローラ２の圧接力（加圧力）は４００Ｎとした。
【００３５】
（実施例２、３）
実施例１と同様の定着ローラで、ゴム硬度と表層のＰＦＡチューブの層圧が、表面微小硬度が６０°以下となるような構成を用いた。
【００３６】
（実施例４）
本実施例は、実施例１とほぼ同様の構成であるが、弾性層としてＪＩＳ−Ａ硬度が２８°のシリコーンゴムを２．５ｍｍ設け、離型層としてＰＴＦＥとＰＦＡの樹脂を２０μｍコーティングしたものを用いた。チューブで被覆した離型層はフッ素樹脂の硬度が高いのに比べ、コーティングで被覆した離型層はゴムの柔軟性を反映して柔かく感じる。そのため、下層の弾性層を実施例１よりも硬い３０°のものを用いた場合でも同じ圧接力（加圧力）４００Ｎでほぼ同じニップ幅を得ることができた。
【００３７】
（比較例１〜４）
比較例として、実施例１とほぼ同じ構成であるが離型層及び弾性層のゴム硬度等をさまざまに選び、表面の微小硬度が６０°を超えるような組み合わせを選んだ。
【００３８】
以上の各構成において、普通紙又はコート紙において小文字や細線を定着した場合のトナーの潰れ程度を下記表１にまとめる。表１の○×判断は、細線や微小文字の視認性から主観的に行った結果である。実施例及び比較例共に定着後のトナー潰れは、上質紙では問題ないレベルであったものの、コート紙では潰れ程度が悪化傾向にあり、比較例におけるトナー潰れは不良と判断した。
【００３９】
2004264393.tif 000002
【００４０】
図４〜図６は、この実験で得られた４Ｐ文字の画像のサンプルである。図４は実施例及び比較例中でもっともトナー潰れが少なく、画像的に良好であった実施例２の画像である。図５は△で判断された比較例２の画像であるが、トナー潰れによって文字が潰れるために太っていることがわかる。図６は×で判断された比較例４の画像である。この画像ではトナー潰れによって文字が読めないレベルまで悪化しており、画像品位は問題ありと判断した。
【００４１】
【発明の効果】
以上のような本発明によって、ワックス内包トナーと定着ローラにフッ素樹脂表層をもちオイルレス定着を行う画像形成装置の定着装置であって、記録紙にコート紙を用いて、光沢のある画像を出力する場合でも、細線や小ポイント文字のトナー潰れを防止し、画像品位を得ることが可能となる。
【図面の簡単な説明】
【図１】本発明のカラー画像形成装置の１実施形態おける全体構成を示す図。
【図２】本発明の定着装置を１例示す図。
【図３】Ａ２コート紙上の細線において、定着前の状態から定着後で何倍に線幅が増えたかをトナー潰れ率として測定した図。
【図４】実施例２の４Ｐ文字の画像サンプル。
【図５】比較例２の４Ｐ文字の画像サンプル。
【図６】比較例４の４Ｐ文字の画像サンプル。
【符号の説明】
１：定着ローラ
１ａ：芯金
１ｂ：弾性層
１ｃ：離型層
２：加圧ローラ
２ａ：芯金
２ｂ：弾性層
２ｃ：離型層
３：ハロゲンヒータ
４：サーミスタ
１０：定着装置
１１：用紙
１４：クリーニング装置
２０：中間転写ローラ
２５：２次転写ローラ
２８、２９：電源
４１、４２、４３、４４：現像器
６１：転写バイアス電源
６２：バイアス電源
１０１：感光ドラム
１０２：１次帯電器
１０３：露光
１０９：用紙カセット
１１０：給紙ローラ
１１１：レジストローラ
１１２：給紙ガイド
１１３：ガイド
Ａ：紙パス方向
Ｂ：両面ユニット部
Ｎ：１次転写ニップ
ｎ：２次転写ニップ
【図１】
2004264393.tif 000003
【図２】
2004264393.tif 000004
【図３】
2004264393.tif 000005
【図４】
2004264393.tif 000006
【図５】
2004264393.tif 000007
【図６】
2004264393.tif 000008